(57)【特許請求の範囲】
【請求項１】
ディスプレイ装置のユーザスケジュールの管理方法において、
ユーザが日程情報を入力又は登録する複数の機器から当該ユーザの複数のユーザスケジュール情報を受信するステップと、
前記受信した複数のユーザスケジュール情報を統合して統合スケジュール情報として保存部に格納するステップと、
前記複数の機器のいずれかから新たなユーザスケジュール情報を受信するステップと、
前記受信した新たなユーザスケジュール情報に基づいて、前記保存部に格納した前記統合スケジュール情報を更新するステップと
を含み、
前記ユーザは、複数のユーザであり、
前記複数のユーザスケジュール情報は、前記複数のユーザの各々に対応するユーザスケジュール情報からなり、
前記複数のユーザスケジュール情報のそれぞれに記録されている日程の中から共通日程を検出するステップと、
統合スケジュール表示が行われると、前記統合スケジュール表示の中で前記検出された共通日程に対応する領域に、前記共通日程が前記複数のユーザ間に関連した日程であることを報知するための情報を表示するステップと
を更に含むことを特徴とするユーザスケジュールの管理方法。
【請求項２】
前記複数のユーザスケジュール情報のそれぞれに記録されている日程の中から共通日程を検出するステップと、
前記共通日程に対応する日付が到来すると、前記複数のユーザ間に関連した共通日程があることを報知するための情報を表示するステップと
を含むことを特徴とする請求項１に記載のユーザスケジュールの管理方法。
【請求項３】
前記複数のユーザスケジュール情報を受信するステップは、
前記複数の機器として、ディスプレイ装置本体、前記ディスプレイ装置にアクセス可能な外部端末装置、及び外部サーバのうち少なくとも２つ以上から前記複数のユーザスケジュール情報を受信することを特徴とする請求項１又は２に記載のユーザスケジュールの管理方法。
【請求項４】
前記複数のユーザスケジュール情報を受信するステップは、
掲示物を受信するステップと、
前記掲示物から日付と内容とを抽出するステップと
を含み、
前記統合スケジュール情報を更新するステップは、
前記抽出された内容及び日付を用いて前記統合スケジュール情報を更新することを特徴とする請求項３に記載のユーザスケジュールの管理方法。
【請求項５】
前記複数のユーザスケジュール情報の中から選択されたユーザスケジュール情報を表示するステップを更に含むことを特徴とする請求項３又は４に記載のユーザスケジュールの管理方法。
【請求項６】
前記複数のユーザスケジュール情報の中に、現在の日付に該当するスケジュールが到来しているユーザスケジュール情報が存在するか否かを検索するステップと、
前記検索されたユーザスケジュール情報を表示するステップと
を更に含むことを特徴とする請求項３乃至５のいずれか一項に記載のユーザスケジュールの管理方法。
【請求項７】
前記複数のユーザスケジュール情報を受信するステップは、
予め登録されているユーザから入力されるユーザスケジュール情報を受信することを特徴とする請求項１乃至６のいずれか一項に記載のユーザスケジュールの管理方法。
【請求項８】
ユーザ命令を入力されるための入力部と、
ネットワークインターフェースと、
複数のユーザスケジュール情報を統合して統合スケジュール情報として保存される保存部と、
前記入力部又は前記ネットワークインターフェースを介して、ユーザが日程情報を入力又は登録する複数の機器のいずれかから当該ユーザの新たなユーザスケジュール情報を受信すると、前記受信した新たなユーザスケジュール情報に基づいて、前記保存部に格納した前記統合スケジュール情報を更新する制御部と、
ユーザ選択によりユーザスケジュール情報を表示するディスプレイ部と
を含み、
前記ユーザは、複数のユーザであり、
前記複数のユーザスケジュール情報は、前記複数のユーザの各々に対応するユーザスケジュール情報からなり、
前記制御部は、
前記複数のユーザスケジュール情報のそれぞれに記録されている日程の中から共通日程を検出し、前記ディスプレイ部に対する統合スケジュール表示が行われると、前記統合スケジュール表示の中で前記検出された共通日程に対応する領域に、前記共通日程が前記複数のユーザ間に関連した日程であることを報知するための情報を前記ディスプレイ部に表示することを特徴とするデバイス。
【請求項９】
前記制御部は、
前記ネットワークインターフェースを介して掲示物サーバから掲示物が伝送されると、伝送された掲示物から日付及び内容を抽出し、前記抽出された内容及び日付を用いて、前記統合スケジュール情報を更新することを特徴とする請求項８に記載のデバイス。
【請求項１０】
前記保存部は、予め登録されているユーザ情報を保存し、
前記制御部は、
前記保存部に保存されているユーザ情報を用いて前記少なくとも一人のユーザに対する認証を行い、認証されたユーザから入力される日程情報を用いて前記統合スケジュール情報を更新することを特徴とする請求項８又は９に記載のデバイス。
【請求項１１】
前記受信される複数のユーザスケジュール情報は、
複数の相違する外部機器のそれぞれに保存されているユーザスケジュール情報と、前記複数の相違する外部機器のそれぞれに入力されるユーザスケジュール情報と、前記複数の相違する外部機器のそれぞれに掲示されているユーザスケジュール情報のうち少なくとも一つであることを特徴とする請求項８乃至１０のいずれか一項に記載のデバイス。
【請求項１２】
前記制御部は、
前記複数のユーザスケジュール情報のそれぞれに記録されている日程の中から共通日程を検出し、前記共通日程に対応する日付が到来すると、前記複数のユーザ間に関連した共通日程があることを報知する情報を前記ディスプレイ部を介して表示することを特徴とする請求項８乃至１１のいずれか一項に記載のデバイス。
【発明の詳細な説明】
【技術分野】
【０００１】
本発明は、ユーザスケジュールの管理方法及びそれを適用したデバイスに関し、より詳細には、デバイスに保存されて利用されるユーザスケジュールを管理する方法及びそれを適用したデバイスに関する。
【背景技術】
【０００２】
多様なデジタルデバイスの登場により、ユーザが保持しているデジタルデバイスも多くなっている。ユーザはデジタルデバイスに埋れて生きているといっても過言ではない。
このような多様なデジタルデバイスは、ユーザの暮らしをより便利かつ豊かにすることに貢献している。そして、最近に至ってはより加速化しているデジタルデバイスの高性能化と多機能化は、その寄与度を一層向上させている。
【０００３】
それにもかかわらず、ユーザはより便利かつ豊かな暮らしを追求しており、その答えをデジタルデバイスがより高性能化し多機能化することで見出そうとしている。
しかし、デジタルデバイスが単独で実行する機能には限界がある。そこで、ユーザが保持しているデジタルデバイスが相互連携して機能することにより、デジタルデバイスが単独で実行できなかった新しい機能が創出されるようにし、ユーザの暮らしをより便利かつ豊かにするための方策への模索が求められている。
【発明の概要】
【発明が解決しようとする課題】
【０００４】
そこで、本発明は、上記問題に鑑みてなされたものであり、本発明の目的とするところは、各自それぞれの位置にばらばらになっているユーザのスケジュールを統合的に管理するユーザスケジュールの管理方法及びそれを適用したデバイスを提供することにある。
【課題を解決するための手段】
【０００５】
前記目的を達成するための本発明に係るユーザスケジュールの管理方法は、第１外部機器から前記第１外部機器に保存されている日程を受信するステップと、受信された日程を保持しているユーザスケジュールに追加するステップとを含む。
【０００６】
そして、本ユーザスケジュールの管理方法は、第２外部機器を介して入力されている日程を受信するステップと、入力されている日程を前記ユーザスケジュールに追加するステップとを更に含むことができる。
なお、本ユーザスケジュールの管理方法は、第３外部機器から掲示物を受信するステップと、前記掲示物から日付と内容とを抽出するステップと、抽出された内容を抽出された日付の日程として、前記ユーザスケジュールに追加するステップとを更に含むことができる。
【０００７】
そして、本ユーザスケジュールの管理方法は、前記掲示物を表示するステップを更に含むことができる。
なお、本ユーザスケジュールの管理方法は、前記ユーザスケジュールを第４外部機器に伝達するステップを更に含んでよい。
【０００８】
一方、本発明の一実施形態によると、ディスプレイ装置のユーザスケジュールの管理方法は、複数のユーザのうち少なくとも一人のユーザから日程情報を提供されるステップと、予め保存されている複数のユーザスケジュールのうち、前記少なくとも一人のユーザによって提供された日程情報に対応するユーザスケジュールをアップデートするステップを含む。
【０００９】
ここで、前記日程情報を提供されるステップは、前記ディスプレイ装置本体と、前記ディスプレイ装置にアクセス可能な外部端末装置及び外部サーバのうち少なくとも一つから前記日程情報を受信することができる。
【００１０】
一方、前記日程情報を提供されるステップは、掲示物を受信するステップと、前記掲示物から日付と内容とを抽出するステップとを含んでもよい。
この場合、前記ユーザスケジュールをアップデートするステップは、前記抽出された内容及び日付を前記日程情報として用いて前記ユーザスケジュールをアップデートすることができる。
【００１１】
一方、本ユーザスケジュールの管理方法は、前記複数のユーザスケジュールの中から選択されたユーザスケジュールを表示するステップを更に含んでよい。
なお、本ユーザスケジュールの管理方法は、前記複数のユーザスケジュールの中に、現在の日付に該当する日程情報が書き込まれているユーザスケジュールが存在するか否かを検索するステップと、前記検索されたユーザスケジュールを表示するステップとを更に含むことができる。
【００１２】
そして、前記日程情報を提供するステップは、予め登録されているユーザから入力される日程情報のみを提供してもよい。
【００１３】
一方、本発明の一実施形態に係るデバイスは、ユーザ命令を入力されるための入力部と、ネットワークインターフェースと、複数のユーザスケジュール情報が保存される保存部と、前記入力部又は前記ネットワークインターフェースを介して少なくとも一人のユーザから日程情報が提供されると、前記複数のユーザスケジュール情報のうち、前記少なくとも一人のユーザに対応するユーザスケジュール情報をアップデートさせる制御部とを含んでよい。
なお、本デバイスは、ユーザ選択によりユーザスケジュールを表示するディスプレイ部を更に含むことができる。
【００１４】
一方、前記制御部は、前記ネットワークインターフェースを介して掲示物サーバから掲示物が伝送されると、伝送された掲示物から日付及び内容を抽出し、前記抽出された内容及び日付を前記日程情報として用いて、前記掲示物に対応するユーザのユーザスケジュール情報をアップデートさせることができる。
【００１５】
そして、前記保存部は、予め登録されているユーザ情報を保存しておいてもよい。この場合、前記制御部は、前記保存部に保存されているユーザ情報を用いて前記少なくとも一人のユーザに対する認証を行い、認証されたユーザから入力される日程情報を用いて前記ユーザスケジュール情報をアップデートさせることができる。
【発明の効果】
【００１６】
以上、説明したように本発明によれば、各自それぞれの位置にばらばらになっているユーザのスケジュールを統合的に管理することができるようになり、ユーザがより便利にユーザスケジュールを利用することができるようになる。
更に、別の機器で新たに登録される日程も統合管理ができるだけでなく、掲示物のような情報からも日程を抽出して管理することができるようになり、ユーザの便宜性を高めることができるようになる。
【図面の簡単な説明】
【００１７】
【図１】本発明が適用可能なネットワークを示す図である。
【図２】デジタルフォトフレームがユーザのスケジュールを統合的に管理する過程を説明する図である。
【図３】ユーザがモバイルフォンを通じてデジタルフォトフレームに示されたユーザスケジュールに日程を入力する過程を詳細に示す図である。
【図４】ユーザがデジタルフォトフレームを通じて提供された掲示物の内容をユーザスケジュールに新しい日程として追加するための命令を入力する過程を詳細に示す図である。
【図５】デジタルフォトフレームがユーザに新しいスケジュール発生を報知する過程を説明する図である。
【図６】ユーザがデジタルフォトフレームに表示されている新しい掲示物の内容をユーザスケジュールに新しい日程として追加するための命令を入力する過程を詳細に示す図である。
【図７】デジタルフォトフレームを通じて統合管理されるユーザスケジュールをソーティングして提供する過程を説明する図である。
【図８】デジタルフォトフレームの詳細ブロック図である。
【図９】モバイルフォンの詳細ブロック図である。
【図１０】プリンタの詳細ブロック図である。
【発明を実施するための形態】
【００１８】
以下に添付図面を参照しながら、本発明の好適な実施形態について詳細に説明する。
【００１９】
１．ネットワーク構成
図１は、本発明が適用可能なネットワークを示す図である。図１に示すように、本発明が適用可能なネットワークは、デジタルフォトフレーム１１０と、モバイルフォン１２０及びプリンタ１３０が相互通信できるように接続されて構築される。
図１において、デジタルフォトフレーム１１０と、モバイルフォン１２０及びプリンタ１３０は、無線で接続されるものとして示したが、必要に応じては、これらは有線で接続されるか、有線／無線統合で接続されることで実現可能である。
一方、デジタルフォトフレーム１１０は、ネットワークＩを通じて掲示物サーバ１０とポータルサーバ２０と通信できるように接続される。
【００２０】
２．統合スケジュール管理
デジタルフォトフレーム１１０は、各自それぞれの位置にばらばらになっているユーザのスケジュールを統合的に管理する。以下で、デジタルフォトフレーム１１０がユーザのスケジュールを統合的に管理する過程について、図２を参照しながら詳細に説明する。
図２に示すように、デジタルフォトフレーム１１０はユーザが日程を入力すると（Ｓ２０５）、入力された日程をユーザスケジュールに追加する（Ｓ２１０）。Ｓ２０５のステップにおける日程入力とは、デジタルフォトフレーム１１０に設けられているタッチスクリーンを通じての入力である。
【００２１】
日程入力は、デジタルフォトフレーム１１０ではないモバイルフォン１２０を介しても可能である。即ち、図２に示すように、ユーザがモバイルフォン１２０を介して日程を入力すると（Ｓ２１５）、デジタルフォトフレーム１１０は入力された日程をモバイルフォン１２０から受信し（Ｓ２２０）、ユーザスケジュールに追加するようになる（Ｓ２２５）。
【００２２】
これにより、デジタルフォトフレーム１１０が保持しているユーザスケジュールには、デジタルフォトフレーム１１０を介して入力された日程だけでなく、モバイルフォン１２０を介して入力された日程も含まれる。
図３には、ユーザがモバイルフォン１２０を介してデジタルフォトフレーム１１０に示されたユーザスケジュールに日程を入力する過程を詳細に示している。図３に示すように、日程入力を通じてデジタルフォトフレーム１１０で呼び出した日程入力ウィンドウの内容を、モバイルフォン１２０を介して入力したことを確認することができる。
【００２３】
一方、インターネットＩを通じてポータルサーバ２０からユーザスケジュールを受信すると（Ｓ２３０）、デジタルフォトフレーム１１０は受信されたユーザのスケジュールに収録されている全日程を自分が保持しているユーザスケジュールに追加する（Ｓ２３５）。
Ｓ２３０のステップにおいて、ポータルサーバ２０から受信されるユーザスケジュールとは、ポータルから提供されるユーザスケジュールの管理メニューを通じてユーザが管理していた自分のスケジュールのことをいう。
【００２４】
もう一方、モバイルフォン１２０からユーザのスケジュールを受信した場合にも（Ｓ２４０）、デジタルフォトフレーム１１０は受信されたユーザのスケジュールに収録されている全日程を自分が保持しているユーザスケジュールに追加する（Ｓ２４５）。
【００２５】
Ｓ２４０のステップにおいて、モバイルフォン１２０から受信されるユーザスケジュールとは、モバイルフォン１２０から提供されるユーザスケジュールの管理メニューを通じてユーザが管理していた自分のスケジュールのことをいう。
これにより、デジタルフォトフレーム１１０が保持しているユーザスケジュールには、ユーザがポータルを通じて管理していた日程と、ユーザがモバイルフォン１２０を介して管理していた日程も含まれるようになる。
【００２６】
一方、インターネットＩを通じて掲示物サーバ１０から掲示物を受信し（Ｓ２５０）、ユーザから日程追加命令を入力されると（Ｓ２５５）、デジタルフォトフレーム１１０は受信されている掲示物から日付と内容を抽出する（Ｓ２６０）。
【００２７】
そして、デジタルフォトフレーム１１０は抽出された内容を抽出された日付の日程とし、自分が保持しているユーザスケジュールに追加する（Ｓ２６５）。
図４には、ユーザがデジタルフォトフレーム１１０を介して提供された掲示物の内容をユーザスケジュールに新しい日程として追加するための命令を入力する過程を詳細に示している。
【００２８】
この場合、デジタルフォトフレーム１１０は新しい掲示物で、“２００９.０６.０８”を日付として抽出し、“準備品袋１、風船１、ＡＡ乾電池２”を内容として抽出する。そして、デジタルフォトフレーム１１０は、“準備品袋１、風船１、ＡＡ乾電池２”を“２００９.０６.０８”の日程として自分が保持しているユーザスケジュールに追加するようになる。
【００２９】
これにより、デジタルフォトフレーム１１０が保持しているユーザスケジュールには、ユーザスケジュールとして管理していた日程だけでなく、掲示物を通じて抽出した日程まで含まれるようになる。
【００３０】
一方、デジタルフォトフレーム１１０は保持しているユーザスケジュールをモバイルフォン１２０に伝送し（Ｓ２７０）、ユーザがデジタルフォトフレーム１１０ではないモバイルフォン１２０を介して自分の日程を確認できるようにすることができる。
なお、デジタルフォトフレーム１１０が保持しているユーザスケジュールをプリンタ１３０に伝送し（Ｓ２８０）、プリンタ１３０は受信したユーザスケジュールを印刷し（Ｓ２９０）、ユーザが自分のスケジュールを印刷物を通じて確認できるようにすることができる。
【００３１】
一方、デジタルフォトフレーム１１０は統合されているユーザスケジュールに含まれた日程をユーザに統合的にガイドすることができる。ガイド方法は、当該時間の到来時に、ディスプレイとサウンドを通じて当該日程を直接報知する方法と、モバイルフォン１２０に当該日程を伝達して間接的に報知する方法、いずれも可能である。
【００３２】
３．スケジュール報知
デジタルフォトフレーム１１０は、各自それぞれの位置にばらばらに管理されているユーザのスケジュールを統合してユーザに報知する意味で、ユーザに新しいスケジュールが発生したことを自動的にガイドすることができる。以下で、デジタルフォトフレーム１１０がユーザに新しいスケジュールの発生を報知する過程について、図５を参照しながら詳細に説明する。
【００３３】
図５に示すように、新しい掲示物が登録されると（Ｓ５０５）、掲示物サーバ１０は登録された新しい掲示物をインターネットＩを通じてデジタルフォトフレーム１１０に伝送する（Ｓ５１０）。
すると、デジタルフォトフレーム１１０はＳ５１０のステップにおいて受信された新しい掲示物を表示する（Ｓ５１５）。そして、ユーザからスケジュール追加命令が入力されると、デジタルフォトフレーム１１０は受信された新しい掲示物から日付と内容を抽出し、ユーザスケジュールに追加する（Ｓ５２０）。
【００３４】
図６には、ユーザがデジタルフォトフレーム１１０に表示された“三星初等学校”の新しい掲示物の内容をユーザスケジュールに新しい日程として追加するための命令を入力する過程を詳細に示している。
これにより、デジタルフォトフレーム１１０が保持しているユーザスケジュールには、掲示物サーバ１０に新しい登録されている掲示物から抽出した日程が含まれるようになる。
【００３５】
一方、図５に示すように、新しい日程が登録されると（Ｓ５２５）、ポータルサーバ２０は登録された新しい日程をインターネットＩを通じてデジタルフォトフレーム１１０に伝送する（Ｓ５３０）。
すると、デジタルフォトフレーム１１０はＳ５３０のステップにおいて受信された新しい日程を表示する（Ｓ５３５）。そして、ユーザからスケジュール追加命令が入力されると、デジタルフォトフレーム１１０は受信された新しい日程をユーザスケジュールに追加する（Ｓ５４０）。
【００３６】
これにより、デジタルフォトフレーム１１０が保持しているユーザスケジュールにはポータルサーバ２０に新しく登録された日程が含まれるようになる。
もう一方で、図５に示すように、新しい日程が登録されると（Ｓ５４５）、モバイルフォン１２０は登録された新しい日程をデジタルフォトフレーム１１０に伝送する（Ｓ５５０）。
【００３７】
すると、デジタルフォトフレーム１１０はＳ５５０のステップにおいて受信された新しい日程を表示する（Ｓ５５５）。そして、ユーザからスケジュール追加命令が入力されると、デジタルフォトフレーム１１０は受信された新しい日程をユーザスケジュールに追加する（Ｓ５６０）。
これにより、デジタルフォトフレーム１１０が保持しているユーザスケジュールには、モバイルフォン１２０に新しく登録された日程が含まれるようになる。
【００３８】
ユーザに新しいスケジュールが発生したことを自動的にガイドするうえで、デジタルフォトフレーム１１０はサウンドとともに出力し、ユーザがデジタルフォトフレーム１１０を注視していない場合にも認知できるようにする。
更に、デジタルフォトフレーム１１０は受信された新しいスケジュールをモバイルフォン１２０又はプリンタ１３０に直ちに伝達し、これらを通じてユーザが新しいスケジュールを認知するように実現することもできる。
【００３９】
４．スケジュールソーティング
図７は、デジタルフォトフレーム１１０を介して統合管理されるユーザスケジュールをソーティングして提供する過程を説明に提供する図である。
図７に示すように、ユーザスケジュールソーティング命令が入力される（Ｓ６０５−Ｙ）、デジタルフォトフレーム１１０は保持しているユーザスケジュールを入力された命令に従ってソーティングし（Ｓ６１０）、ソーティングされたユーザスケジュールを表示する（Ｓ６１５）。
Ｓ６０５のステップにおけるソーティング命令は、日付や時間などを基準に入力されてよい。
【００４０】
その後、ユーザスケジュール伝送命令が入力されると（Ｓ６２０）、デジタルフォトフレーム１１０はＳ６１０のステップにおいてソーティングされたユーザスケジュールを、インターネットＩを通じてポータルサーバ２０に伝送し（Ｓ６２５）、モバイルフォン１２０にも伝送する（Ｓ６３０）。
すると、ポータルサーバ２０は、Ｓ６２５のステップにおいて受信したユーザスケジュールを保存し（Ｓ６３５）、モバイルフォン１２０もＳ６３０のステップにおいて受信したユーザスケジュールを保存する（Ｓ６４０）。
【００４１】
これにより、ユーザはポータルサーバ２０とモバイルフォン１２０を介してもソーティングされたユーザスケジュールを用いることができるようになる。
一方、図７に示すように、ユーザスケジュール印刷命令が入力されると（Ｓ６４５）、デジタルフォトフレーム１１０はＳ６１０のステップにおいてソーティングされたユーザスケジュールをプリンタ１３０に伝送する（Ｓ６５０）。
【００４２】
すると、プリンタ１３０は、Ｓ６５０のステップにおいて受信されたユーザスケジュールを印刷し（Ｓ６５５）、ユーザがソーティングされたスケジュールを印刷物を通じて確認できるようにすることができる。
【００４３】
５．複数のユーザのスケジュール管理
上記の実施形態では、ユーザスケジュールが１つであるとして想定していたが、これは説明の便宜性のための一例に過ぎない。デジタルフォトフレーム１１０を複数のユーザが一緒に使用する場合なら（例えば、家族同士でデジタルフォトフレーム１１０を共有する場合）、ユーザ毎にユーザスケジュール情報を別途に設けておいてよく、これにより、各ユーザスケジュール情報を統合的又は個別的に管理するように実現可能である。
【００４４】
この場合、デジタルフォトフレーム１１０は各ユーザスケジュール情報を比較して同じ日程であると判断される日程があれば、その日程を報知することにより、複数のユーザに対する共通の日程であることを報知できる情報を表示することができる。例えば、Ａというユーザのユーザスケジュールの中に１０月１０日の夜７時にｘｘという場所で“ミーティング”という名前で日程情報が含まれており、Ｂというユーザのユーザスケジュールの中に１０月１０日の夜７にｘｘという場所で“食事会”という名前で日程情報が含まれている場合、１０月１０日の夜７時に該当する日程を単純に“Ａ−ミーティング”、“Ｂ−食事会”のように表現せずに、編集を施して表示することができる。一例として、“ミーティング兼食事会：出席者−Ａ、Ｂ”のような形態で加工して表示することができる。
【００４５】
このように、ユーザ別にユーザスケジュール情報を個別的に管理するとしても、表示において共通の部分がある場合には、共通の日程であることを表示し、ユーザ満足度を向上させることができる。
共通の日程であるか否かは、日付情報と、時間情報及び場所情報を総合的に考慮して決定することができる。
【００４６】
なお、上述の情報は、多様な方式で表示されてよい。
即ち、複数のユーザのユーザスケジュールを統合して表示する統合スケジュール表示が行われる場合、デジタルフォトフレーム１１０はカレンダ型にスケジュール表を表示することができる。この中で、共通日程に対応する領域に、上述のように、加工された情報を表示することができる。
【００４７】
なお、デジタルフォトフレーム１１０は時間の経過状態をカウントし、毎日その日その日の日程を表示することができる。従って、共通日程に該当する日付が到来した際、その日に複数のユーザ間に関連性がある共通の日程があることを報知するための情報を画面上に表示してもいい。
【００４８】
このように、共通日程を多様な方式で報知することにより、ユーザの便宜性を高めることができる。
【００４９】
一方、複数のユーザは各自がデジタルフォトフレーム１１０に自分に対するユーザ情報を登録し、ユーザスケジュールを生成しておくことができる。ユーザ情報はＩＤ及び暗証番号などであってよい。デジタルフォトフレーム１１０は各ユーザ別に生成されたユーザスケジュールをそれぞれのフォルダ型で保存しておく。デジタルフォトフレーム１１０はユーザから日程情報が提供されると、保存されているユーザ情報を用いて当該ユーザに対する認証を行うことができる。これにより、認証されたユーザから提供された日程情報のみを用いてユーザスケジュール情報をアップデートすることができる。
【００５０】
一方、各ユーザはデジタルフォトフレーム１１０や自分のモバイルフォン１２０を用いて自分のスケジュール変更事項を随時アップデートすることができる。この場合、ユーザはポータルサーバ２０に登録されている自分のアカウントを用いて、デジタルフォトフレーム１１０にアクセスしてスケジュール変更事項をアップデートすることもできる。即ち、デジタルフォトフレーム１１０は複数のサイトに散在している各ユーザ関連情報を用いて、当該ユーザのスケジュールを変更させることができる。
【００５１】
一例として、デジタルフォトフレーム１１０はデジタルフォトフレーム１１０本体と、モバイルフォン１２０及びポータルサーバ２０のうち少なくとも一つから日程入力や、スケジュールソーティングなどのためのユーザ命令が入力されると、ユーザ情報の入力を要請することができる。ユーザ情報の入力は、デジタルフォトフレーム１１０に備えられているディスプレイ画面を通じてＵＩウィンドウを表示したり、モバイルフォン１２０又はポータルサーバ２０にアクセスされたユーザ端末装置などの画面上にＵＩウィンドウを表示し、そのＵＩウィンドウを通じて入力される。デジタルフォトフレーム１１０は入力されたユーザ情報が予め登録されているユーザ情報であるかを確認することができる。
【００５２】
登録されていないユーザの情報である場合、ユーザ命令入力があったとしても、何の作業も行わなくてよい。一方、登録されているユーザの情報なら、当該ユーザに対して設けられているユーザスケジュールフォルダに保存されている内容をアップデートする。スケジュールソーティング作業もユーザ情報確認の後に行ってもよい。
【００５３】
一方、掲示物サーバ１０に登録される新しい掲示物の場合、デジタルフォトフレーム１１０に表示される際、当該掲示物に対応するユーザに対する情報を同時に表示することができる。例えば、“ｘｘ会社”の掲示物サーバ１０に登録されている掲示物である場合なら、“ｘｘ会社”に勤務しているユーザの氏名及び職名などとともに掲示物を表示させることができる。なお、当該ユーザが備えているモバイルフォン１２０に掲示物が直接伝送されてもよい。これにより、当該ユーザが自分の掲示物を確認した後、自分のユーザスケジュールに追加することができる。
【００５４】
一方、複数のユーザは予め設定されている基準に応じて複数個のグループで区分することもできる。この場合、掲示物報知及びスケジュール変更はグループ毎に行うことができる。即ち、ｘｘ会社のｙｙ部署に対する掲示物の場合なら、“ｙｙ部署”の構成員の氏名を明記しつつデジタルフォトフレーム１１０に表示されたり、その構成員のアカウント又はモバイルフォン１２０に伝送されて表示することができる。無論、このような掲示物はＳＭＳやＭＭＳ方式で伝送可能である。一方、グループ変更がある場合、当該グループ内に属する全ユーザのユーザスケジュール情報が統合的に移動したり、コピー、又は削除することができる。
【００５５】
一方、複数のユーザに対するユーザスケジュール情報は、全体的に又はユーザ選択に応じて部分的にデジタルフォトフレーム上に表示したり、外部デバイスに伝送することができる。
又は、全ユーザスケジュール情報に収録されている日程情報の中に、現在の日付に該当する日程のあるスケジュール情報が存在すると、当該ユーザスケジュール情報をデジタルフォトフレームの画面上に表示させることができる。
【００５６】
もし、同一日付に日程がある二つ以上のユーザスケジュール情報が存在する場合、同時に表示したり、所定時間の間隔で交互に表示することができる。
このように、本発明の多様な実施形態によると、複数のユーザに対しても効果的にユーザスケジュールを管理できるようになる。
【００５７】
ユーザ毎にユーザスケジュールが別途に管理される場合にも、全ユーザのスケジュールを統合して提供することが可能である。この場合は、ユーザ別のソーティングを通じてユーザ毎にスケジュールを分離することができる。
そして、ユーザ別にソーティングされたユーザスケジュールを当該ユーザのモバイルフォン１２０にそれぞれ伝達し、ユーザが自分のスケジュールのみを確認できるように実現することも可能である。
【００５８】
なお、ユーザからユーザスケジュールが別途に管理される場合、掲示物サーバ１０とポータルサーバ２０もユーザ毎に別途に管理されることが望ましい。ユーザ毎に用いる掲示板とポータルが異なるためである。
そして、新しい掲示物と日程を報知する機能の実行の際には、ユーザが掲示板のニックネームとポータルのニックネームを任意に設定／変更可能であるが、ユーザが複数人である場合、同じ掲示板やポータルがユーザ毎に異なるニックネームを有してよい。
【００５９】
６．デバイスの詳細構成
６．１  デジタルフォトフレーム
図８は、デジタルフォトフレーム１１０の詳細ブロック図である。図８に示すように、デジタルフォトフレーム１１０は、コンテンツ再生部１１１と、タッチスクリーン１１２と、制御部１１３と、保存部１１４及びネットワークインターフェース１１５を備える。
コンテンツ再生部１１１は、デジタルフォトフレーム１１０本来の機能を担うブロックであって、保存部１１４に保存されているコンテンツを再生する。
【００６０】
タッチスクリーン１１２は、コンテンツ再生部１１１で再生されるコンテンツとＧＵＩが表示されるディスプレイ部の機能と、タッチを通じてのユーザ命令を入力される入力部の機能とを同時に行う。
本実施形態においては、ディスプレイ部と入力部とが一つのタッチスクリーンとして実現された場合を説明したが、必ずしもこれに限られるものではなく、別個のユニットで実現されてよい。
【００６１】
タッチスクリーン１１２に表示されるＧＵＩには、保存部１１４に保存されてデジタルフォトフレーム１１０によって統合的に管理されるユーザスケジュールの画面が含まれる。
保存部１１４は、コンテンツとユーザスケジュールとが保存される保存領域を提供する。複数のユーザのユーザスケジュールを管理する場合、保存部１１４は各ユーザ別にユーザスケジュールフォルダを備えておく。これにより、各ユーザの日程情報提供に応じて対応するユーザスケジュールフォルダに保存されているデータをアップデートさせることができる。
【００６２】
ネットワークインターフェース１１５は、周囲のモバイルフォン１２０及びプリンタ１３０と通信できるように接続されるだけでなく、インターネットＩを通じて掲示物サーバ１０とポータルサーバ２０とも通信できるように接続される。
制御部１１３は、図２と、図５及び図７に示されているステップ中にデジタルフォトフレーム１１０の行うステップが行われるように、コンテンツ再生部１１１と、タッチスクリーン１１２と、保存部１１４及びネットワークインターフェース１１５を制御する。
【００６３】
具体的に、制御部１１３は、上述の様々な実施形態にように、入力部を介して直接日程情報を提供する、又は、ネットワークインターフェースを介して外部端末装置やサーバなどから日程情報を提供することができる。
これにより、少なくとも一人のユーザから日程情報が提供されると、制御部１１３は保存部１１４に保存されている複数のユーザスケジュール情報中の対応するユーザスケジュール情報をアップデートさせる。
【００６４】
一方、ユーザ選択がある場合、ディスプレイ部を介してユーザスケジュール情報を表示させることもできる。
一方、制御部１１３は、ネットワークインターフェース１１５を介して掲示物サーバ１０から掲示物が伝送された場合、伝送された掲示物から日付及び内容を抽出することができる。具体的に、伝送された掲示物の各テキストを構文解析して数字及び単語を導出した後、当該数字が日付の一種として認識の可否及び導出された単語の意味などを把握し、意味をもつ数字又は単語であるかを判断する。
【００６５】
これにより、抽出された内容及び日付が意味のある情報と判断されると、制御部１１３は抽出された内容及び日付を日程情報として用いて、掲示物に対応するユーザのユーザスケジュール情報をアップデートさせる。
一方、保存部１１４は、複数のユーザのそれぞれに対して予め登録されているユーザ情報を保存することもできる。
【００６６】
この場合、制御部１１３は、保存部１１４に保存されているユーザ情報を用いて、日程情報を提供した少なくとも一人のユーザに対する認証を行うことができる。具体的には、ユーザ情報入力を要請するＵＩウィンドウをタッチスクリーン１１２そのものに表示したり、外部端末装置などに伝送して表示する。これにより、ＵＩウィンドウを通じて入力されたユーザ情報が保存されているユーザ情報と一致する場合、認証に成功したと判断する。
これにより、制御部１１３は認証されたユーザから入力される日程情報を用いて前記ユーザスケジュール情報をアップデートさせることができる。
【００６７】
６．２  モバイルフォン
図９は、モバイルフォン１２０の詳細ブロック図である。図９に示すように、モバイルフォン１２０は移動通信部１２１と、タッチスクリーン１２２と、制御部１２３と、保存部１２４及びネットワークインターフェース１２５を備える。
移動通信部１２１は、モバイルフォン１２０本来の機能と付加機能を担うブロックであって、移動電話通話、ＳＭＳ、ＤＭＢ放送受信、撮影、スケジュール管理などを行う。
タッチスクリーン１２２は、移動通信部１２１の移動電話通信、ＳＭＳ提供に必要な画面、ＤＭＢ放送、コンテンツ、スケジュール及び上述のＧＵＩが表示されるディスプレイ部の機能と、タッチを通じてのユーザ命令を入力される入力部の機能を同時に行う。
【００６８】
タッチスクリーン１２２に表示されるＧＵＩには、スケジュール管理画面及びデジタルフォトフレーム１１０に日程を入力するのに用いられるテキスト入力用のキーボード画面が含まれる。
保存部１１４は、モバイルフォン１２０駆動に必要なプログラムとデータ及びユーザスケジュールの保存される保存領域を提供する。ネットワークインターフェース１２５は周囲のデジタルフォトフレーム１２０及びプリンタ１３０と通信できるように接続される。ネットワークインターフェース１２５はデジタルフォトフレーム１２０にユーザスケジュールを伝送するだけではなく、デジタルフォトフレーム１２０からユーザスケジュールを受信することができる。
【００６９】
制御部１２３は、図２と、図５及び図７に示されているステップの中のモバイルフォン１２０が行うステップが行われるように、移動通信部１２１と、タッチスクリーン１２２と、制御部１２３と、保存部１２４及びネットワークインターフェース１２５を制御する。
【００７０】
６．３  プリンタ
図１０は、プリンタ１３０の詳細ブロック図である。図１０に示すように、プリンタ１３０は、印刷部１３１と、タッチスクリーン１３２と、制御部１３３と、保存部１３４及びネットワークインターフェース１３５を備える。
印刷部１３１は、プリンタ１３０本来の機能を担うブロックであって、保存部１３４に保存されているコンテンツだけでなく、ネットワークインターフェース１３５を介して受信したスケジュールを印刷する。
【００７１】
タッチスクリーン１３２は、プリンタ１３０から提供されるＧＵＩが表示されるディスプレイ手段の機能と、タッチを通じてのユーザ命令を入力される入力手段の機能を同時に行う。
保存部１３４は、プリンタ１３０が動作するのに必要なプログラムとデータだけでなく、デジタルフォトフレーム１１０から受信したユーザスケジュールが保存される保存領域を提供する。
【００７２】
ネットワークインターフェース１３５は周囲のデジタルフォトフレーム１１０及びモバイルフォン１２０と通信できるように接続される。ネットワークインタフェース１３５はデジタルフォトフレーム１１０を介してユーザスケジュールを受信する。
制御部１３３は、図２と、図５及び図７に示されているステップ中のプリンタ１３０の行うステップが行われるように、印刷部１３１と、タッチスクリーン１３２と、保存部１３４及びネットワークインターフェース１３５を制御する。
【００７３】
６．４  別のデバイス
本実施形態で述べたデジタルフォトフレーム１１０と、モバイルフォン１２０及びプリンタ１３０は例示的なものに過ぎない。これらは、別の種類のデバイスに置き換え可能である。特に、デジタルフォトフレーム１１０の場合、テレビやＰＣモニタなどのような多様な類型のディスプレイ装置で実現でき、モバイルフォン１２０もＰＤＡ、ノートパソコン、スマートフォン、ＭＰ３プレーヤ、リモコンなどのような多様な類型のポータブル端末装置で実現することができる。
【００７４】
なお、デジタルフォトフレーム１１０に日程情報を提供することのできる装置は、モバイルフォン１２０のようなポータブル端末装置に限定される必要もなく、別のテレビやパソコンなどのような固定型端末装置で日程情報を入力することもできる。
以上、添付図面を参照しながら本発明の好適な実施形態について詳細に説明したが、本発明は係る実施形態に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７５】
１０  掲示物サーバ
２０  ポータルサーバ
Ｉ  インターネット
１１０  デジタルフォトフレーム
１２０  モバイルフォン
１３０  プリンタ
１１２  タッチスクリーン
１１１  コンテンツ再生部
１１３  制御部
１１５  ネットワークインターフェース
１１４  保存部
１２２  タッチスクリーン
１２１  移動通信部
１２３  制御部
１２５  ネットワークインターフェース
１２４  保存部
１３２  タッチスクリーン
１３１  印刷部
１３３  制御部
１３５  ネットワークインターフェース
１３４  保存部
【図１】
0005980680.tif 000002
【図２】
0005980680.tif 000003
【図４】
0005980680.tif 000004
【図５】
0005980680.tif 000005
【図６】
0005980680.tif 000006
【図７】
0005980680.tif 000007
【図８】
0005980680.tif 000008
【図９】
0005980680.tif 000009
【図１０】
0005980680.tif 000010
【図３】
0005980680.tif 000011